(57)【要約】【課題】  信頼性の高いタイミングで画像表示データにコード挿入を行う。【解決手段】  本発明のコード挿入装置は、画像表示データ出力のための水平同期信号に同期して、信号源から出力される有効画像データ７を格納するメモリ１と、有効画像データ７に挿入する可能性のあるSAV/EAVコードテーブル８を予め保持するメモリ２と、水平同期信号で区切られる１ライン分の有効画像データ１５と挿入されるSAVコード１４またはEAVコード１６を保持するラインメモリ３と、メモリ１から読み出される実時間処理される１ライン分の有効画像データ７に対応してSAVコード１４またはEAVコード１６をメモリ２から選択的に読み出し、所定のタイミングにより有効画像データ１５にSAVコード１４またはEAVコード１６を挿入し、挿入後の１ライン分のデータをラインメモリ３に書き込むメモリ制御回路４とを備えたものである。【選択図】        図１
2006049987.tif 000002
【特許請求の範囲】
【請求項１】
画像表示データ出力のための水平同期信号に同期して、信号源から出力される画像表示データを格納する第１の記憶手段と、
上記画像表示データに挿入する可能性のある特定のコードまたはヘッダの全パターンのデータを予め保持する第２の記憶手段と、
水平同期信号で区切られる１ライン分の画像表示データとその画像表示データに挿入される上記コードまたはヘッダを保持する第３の記憶手段と、
上記第１の記憶手段から読み出される実時間処理される１ライン分の画像表示データに対応して特定のコードまたはヘッダを上記第２の記憶手段から選択的に読み出し、所定のタイミングにより画像表示データに特定のコードまたはヘッダを挿入し、挿入後の１ライン分の画像表示データと上記コードまたはヘッダを上記第３の記憶手段に書き込むコード挿入手段と
を備えたコード挿入装置。
【請求項２】
請求項１記載のコード挿入装置において、
上記コード挿入手段は、
１ライン分の画像表示データを上記第１の記憶手段から読み出す読み出し回路と、
画像表示データに対応して特定のコードまたはヘッダを上記第２の記憶手段から選択的に読み出す選択回路と、
上記画像表示データ出力から生成されるタイミング信号に基づいて画像表示データに特定のコードまたはヘッダを挿入し、１ライン分の画像表示データと挿入された上記コードまたはヘッダを上記第３の記憶手段に書き込む書き込み回路と
を備えたことを特徴とするコード挿入装置。
【請求項３】
請求項１記載のコード挿入装置において、
上記コード挿入手段は、
信号源から出力される第１の形式の画像表示データを上記第１の記憶手段より読み出して第２の形式の画像表示データを生成し、上記第３の記憶手段へ１ライン分の上記第２の形式の画像表示データを転送する第１の転送手段と、
上記第２の記憶手段より上記第２の形式の画像表示データに対応するコードまたはヘッダを読み出して１ライン分の上記第２の形式の画像表示データに対応するコードまたはヘッダを生成し、第３の記憶手段へ１ライン分の上記第２の形式の画像表示データに対応するコードまたはヘッダを転送する第２の転送手段とを備え、
第３の記憶手段より上記第２の形式の画像表示データとコードまたはヘッダを対応する画像表示出力形式にて出力することを特徴とするコード挿入装置。
【請求項４】
請求項１記載のコード挿入装置において、
上記コード挿入手段は、
カメラ撮像手段から出力されるカメラ撮像形式の画像表示データを上記第１の記憶手段より読み出してテレビジョン受像機表示形式の画像表示データに変換し、上記第３の記憶手段へ１ライン分の上記テレビジョン受像機表示形式の画像表示データを転送する第１の変換手段と、
上記第２の記憶手段より上記テレビジョン受像機表示形式の画像表示データに対応するコードまたはヘッダを読み出して１ライン分の上記テレビジョン受像機表示形式の画像表示データに対応するコードまたはヘッダに変換し、第３の記憶手段へ１ライン分の上記テレビジョン受像機表示形式の画像表示データに対応するコードまたはヘッダを転送する第２の変換手段とを備え、
第３の記憶手段より上記テレビジョン受像機表示形式の画像表示データとコードまたはヘッダを対応するテレビジョン受像機に対する画像表示出力形式にて出力することを特徴とするコード挿入装置。
【請求項５】
請求項１記載のコード挿入装置において、
上記コード挿入手段は、
ディスク記録媒体再生手段から出力されるディスク記録媒体記録形式の画像表示データを上記第１の記憶手段より読み出してテレビジョン受像機表示形式の画像表示データに変換し、上記第３の記憶手段へ１ライン分の上記テレビジョン受像機表示形式の画像表示データを転送する第１の変換手段と、
上記第２の記憶手段より上記テレビジョン受像機表示形式の画像表示データに対応するコードまたはヘッダを読み出して１ライン分の上記テレビジョン受像機表示形式の画像表示データに対応するコードまたはヘッダに変換し、第３の記憶手段へ１ライン分の上記テレビジョン受像機表示形式の画像表示データに対応するコードまたはヘッダを転送する第２の変換手段とを備え、
第３の記憶手段より上記テレビジョン受像機表示形式の画像表示データとコードまたはヘッダを対応するテレビジョン受像機に対する画像表示出力形式にて出力することを特徴とするコード挿入装置。
【請求項６】
画像表示データ出力のための水平同期信号に同期して、信号源から出力される画像表示データを第１の記憶手段に格納する第１の記憶ステップと、
上記画像表示データに挿入する可能性のある特定のコードまたはヘッダの全パターンのデータを予め第２の記憶手段に保持する第２の記憶ステップと、
コード挿入手段より上記第１の記憶手段から読み出される実時間処理される１ライン分の画像表示データに対応して特定のコードまたはヘッダを上記第２の記憶手段から選択的に読み出し、所定のタイミングにより画像表示データに特定のコードまたはヘッダを挿入し、挿入後の１ライン分の画像表示データと上記コードまたはヘッダを生成するコード挿入ステップと、
水平同期信号で区切られる１ライン分の画像表示データとその画像表示データに挿入される上記コードまたはヘッダを第３の記憶手段に書き込んで保持する第３の記憶ステップと、
を備えたコード挿入方法。
【請求項７】
請求項６記載のコード挿入方法において、
上記コード挿入ステップは、
１ライン分の画像表示データを上記第１の記憶手段から読み出し回路により読み出すステップと、
画像表示データに対応して特定のコードまたはヘッダを選択回路により上記第２の記憶手段から選択的に読み出すステップと、
上記画像表示データ出力から生成されるタイミング信号に基づいて画像表示データに特定のコードまたはヘッダを挿入し、１ライン分の画像表示データと挿入された上記コードまたはヘッダを書き込み回路により上記第３の記憶手段に書き込むステップと
を備えたことを特徴とするコード挿入方法。
【請求項８】
請求項６記載のコード挿入方法において、
上記コード挿入ステップは、
信号源から出力される第１の形式の画像表示データを上記第１の記憶手段より読み出して第２の形式の画像表示データを生成し、上記第３の記憶手段へ１ライン分の上記第２の形式の画像表示データを第１の転送手段により転送するステップと、
上記第２の記憶手段より上記第２の形式の画像表示データに対応するコードまたはヘッダを読み出して１ライン分の上記第２の形式の画像表示データに対応するコードまたはヘッダを生成し、第３の記憶手段へ１ライン分の上記第２の形式の画像表示データに対応するコードまたはヘッダを第２の転送手段により転送するステップとを備え、
第３の記憶手段より上記第２の形式の画像表示データとコードまたはヘッダを対応する画像表示出力形式にて出力することを特徴とするコード挿入方法。
【請求項９】
請求項６記載のコード挿入方法において、
上記コード挿入ステップは、
カメラ撮像手段から出力されるカメラ撮像形式の画像表示データを上記第１の記憶手段より読み出して第１の変換手段によりテレビジョン受像機表示形式の画像表示データに変換し、上記第３の記憶手段へ１ライン分の上記テレビジョン受像機表示形式の画像表示データを転送するステップと、
上記第２の記憶手段より上記テレビジョン受像機表示形式の画像表示データに対応するコードまたはヘッダを読み出して第２の変換手段により１ライン分の上記テレビジョン受像機表示形式の画像表示データに対応するコードまたはヘッダに変換し、第３の記憶手段へ１ライン分の上記テレビジョン受像機表示形式の画像表示データに対応するコードまたはヘッダを転送するステップとを備え、
第３の記憶手段より上記テレビジョン受像機表示形式の画像表示データとコードまたはヘッダを対応するテレビジョン受像機に対する画像表示出力形式にて出力することを特徴とするコード挿入方法。
【請求項１０】
請求項６記載のコード挿入方法において、
上記コード挿入ステップは、
ディスク記録媒体再生手段から出力されるディスク記録媒体記録形式の画像表示データを上記第１の記憶手段より読み出して第１の変換手段によりテレビジョン受像機表示形式の画像表示データに変換し、上記第３の記憶手段へ１ライン分の上記テレビジョン受像機表示形式の画像表示データを転送するステップと、
上記第２の記憶手段より上記テレビジョン受像機表示形式の画像表示データに対応するコードまたはヘッダを読み出して第２の変換手段により１ライン分の上記テレビジョン受像機表示形式の画像表示データに対応するコードまたはヘッダに変換し、第３の記憶手段へ１ライン分の上記テレビジョン受像機表示形式の画像表示データに対応するコードまたはヘッダを転送するステップとを備え、
第３の記憶手段より上記テレビジョン受像機表示形式の画像表示データとコードまたはヘッダを対応するテレビジョン受像機に対する画像表示出力形式にて出力することを特徴とするコード挿入方法。
【発明の詳細な説明】
【技術分野】
【０００１】
本発明は、テレビジョン受像機に対する画像表示出力形式にて出力するためのコードを画像表示データに挿入するコード挿入装置及びコード挿入方法に関する。
【背景技術】
【０００２】
一般に画像データを例えばCRT（Cathode Ray Tub）のような表示デバイスに表示させるためには、水平・垂直同期信号を作成するための画像表示出力用のコードを付加して、特定の画像表示出力形式で出力する必要がある。
【０００３】
図５は、上記画像表示出力用の画像データ出力形式の１例として、国際電気通信連合（ITU）の無線通信標準化部門による勧告の、テレビ放送向けコンポーネント信号のインターフェースに関する規格であるITU-R BT.656の、１ライン分の画像データ出力形式である。
【０００４】
図５に示すように、７２０画素分の有効画像データ５１の始まりには、タイミングリファレンス信号（Timing reference signals）５４として、SAV(Start of Active Video)コード５３が、終わりにはEAV(End of Active Video)コード５２が挿入され、SAVコード５３及びEAVコード５２の間には特定の長さのブランキングデータ５５が配置される。ここで、SAVコード５３及びEAVコード５２、ブランキングデータ５５、有効画像データ５１は上述した規格により特定の長さに決められている。
【０００５】
図６は、従来の可変長符号化回路を示す図である。この可変長符号化回路は、送信装置において、データＤが符号変換されてデータＶと符号長データＬを出力する回路である。
図６において、従来の可変長符号化回路は、データＤを入力として符号長データＬを出力する符号変換回路６１、ブロックの区切りを決定するための符号量計算回路６２、タイミング調整用の遅延回路６３、制御信号ＣＮＴ１と識別信号ＦＬＡＧとを出力する制御信号発生回路６４、ブロック毎にデータＶにマークコードである付加コードを挿入する付加コード挿入回路６５とを備えて構成される（特許文献１、図３参照）。
一般に有効データにコードを挿入する場合、図６の６５に記すような付加コード挿入回路を必要としていた。
【０００６】
図７は、従来の付加コード挿入回路の適用例を示す図である。
図７において、従来の付加コード挿入回路は、有効画像データ７１と、ブランキングデータ７２と、外部同期信号７５に基づいてSAV／EAVジェネレータ７３から出力されるSAV／EAVコード７４とを選択的に切り替えて出力データ７８を出力するセレクタ７７と、外部同期信号７５に基づいてセレクタ７７における切替制御信号を生成して出力するコード挿入制御回路（カウンタ）７６とを備えて構成される。
このように、SAV／EAVコード７４の挿入に際しては、従来、有効画像データ７１とSAV／EAVコード７４をセレクタ７７により選択し、外部出力端子またはメモリ、レジスタ等に出力していた。
【０００７】
図８は、従来のコード挿入回路のタイミングチャートであり、図８Ａは外部同期信号、図８Ｂは出力信号、図８Ｃはカウンタ値である。
図８は、従来の上記ITU-R BT.656形式のビデオ出力を行う際のコード挿入回路の動作を示すタイミングチャートである。
Ｔ０時点〜ＴＳ時点まで、図８Ａに示す外部同期信号の立ち上がりを基準にして、図８Ｂに示す出力信号としてブランキングデータ７２が出力され、このとき図８Ｃに示すカウンタ値は０，１，２、・・・Ｓ−１とカウントされる。
【０００８】
ＴＳ時点〜ＴＤ時点まで、図８Ａに示す外部同期信号の立ち上がりを基準にした図８Ｂに示すブランキングデータ７２に続いて、図８Ｂに示す出力信号としてSAVコード８１が出力され、このとき図８Ｃに示すカウンタ値はＳ・・・Ｄ−１とカウントされる。ここで、Ｓは、８３に示すように、SAVコード挿入タイミングカウント値である。
【０００９】
ＴＤ時点〜ＴＥ時点まで、図８Ａに示す外部同期信号の立ち上がりを基準にした図８Ｂに示すブランキングデータ７２及びSAVコード８１に続いて、図８Ｂに示す出力信号として有効画像データ７１が出力され、このとき図８Ｃに示すカウンタ値はＤ・・・Ｅ−１とカウントされる。ここで、Ｄは、８４に示すように、有効画像データ挿入タイミングカウント値である。
【００１０】
ＴＥ時点〜Ｔ１０時点まで、図８Ａに示す外部同期信号の立ち上がりを基準にした図８Ｂに示すブランキングデータ７２、SAVコード８１及び有効画像データ７１に続いて、図８Ｂに示す出力信号としてEAVコード８２が次の外部同期信号の立ち上がりまで出力され、このとき図８Ｃに示すカウンタ値はＥ・・・とカウントされる。ここで、Ｅは、８５に示すように、EAVコード挿入タイミングカウント値である。
【００１１】
このように、有効画像データ７１(ブランキングデータ７２を含む)とSAVコード８１，EAVコード８２は、図７に示した外部同期信号７５を基準とするコード挿入制御回路７６のカウンタによって選択され、SAVコード８１、EAVコード８２が有効画像データ７１(ブランキングデータ７２を含む)に対して挿入され、挿入された１ライン分のデータが出力されていた。
【特許文献１】特開平4-219033号公報
【発明の開示】
【発明が解決しようとする課題】
【００１２】
しかしながら、上述した図７に記された付加コード挿入回路を例とする従来のコード挿入方式においては、カウンタを例とするコード挿入制御信号に対する依存が大きくなり、制御信号に対する多大な信頼度が要求されるという不都合があった。
【００１３】
さらに、ハードウエアで設計された挿入のタイミングとSAVコード８１、EAVコード８２の内容は容易に変更することができないものであった。そして、カウンタなどの制御装置を常に動作させるため、消費電力が増大してしまう不都合があった。
【００１４】
そこで、本発明は、カウンタに依存することなく信頼性の高いタイミングで画像表示データにコード挿入を行うことができるコード挿入装置及びコード挿入方法を提供することを目的とするものである。
【課題を解決するための手段】
【００１５】
上記課題を解決し、本発明の目的を達成するため、本発明のコード挿入装置は、画像表示データ出力のための水平同期信号に同期して、信号源から出力される画像表示データを格納する第１の記憶手段と、上記画像表示データに挿入する可能性のある特定のコードまたはヘッダの全パターンのデータを予め保持する第２の記憶手段と、水平同期信号で区切られる１ライン分の画像表示データとその画像表示データに挿入される上記コードまたはヘッダを保持する第３の記憶手段と、上記第１の記憶手段から読み出される実時間処理される１ライン分の画像表示データに対応して特定のコードまたはヘッダを上記第２の記憶手段から選択的に読み出し、所定のタイミングにより画像表示データに特定のコードまたはヘッダを挿入し、挿入後の１ライン分の画像表示データと上記コードまたはヘッダを上記第３の記憶手段に書き込むコード挿入手段とを備えたものである。
【００１６】
これにより、１ライン分の画像表示データと、そのラインで挿入されるコードまたはヘッダを第１の記憶手段及び第２の記憶手段に格納しておいて、コード挿入手段により１ライン分の画像表示データ及び対応する特定のコードまたはヘッダを第１の記憶手段及び第２の記憶手段から読み出して、所定のタイミングで画像表示データに特定のコードまたはヘッダを挿入し、挿入後の１ライン分の画像表示データとコードまたはヘッダを第３の記憶手段に書き込むことができる。
【００１７】
また、本発明のコード挿入方法は、画像表示データ出力のための水平同期信号に同期して、信号源から出力される画像表示データを第１の記憶手段に格納する第１の記憶ステップと、上記画像表示データに挿入する可能性のある特定のコードまたはヘッダの全パターンのデータを予め第２の記憶手段に保持する第２の記憶ステップと、コード挿入手段より上記第１の記憶手段から読み出される実時間処理される１ライン分の画像表示データに対応して特定のコードまたはヘッダを上記第２の記憶手段から選択的に読み出し、所定のタイミングにより画像表示データに特定のコードまたはヘッダを挿入し、挿入後の１ライン分の画像表示データと上記コードまたはヘッダを生成するコード挿入ステップと、水平同期信号で区切られる１ライン分の画像表示データとその画像表示データに挿入される上記コードまたはヘッダを第３の記憶手段に書き込んで保持する第３の記憶ステップとを備えたものである。
【００１８】
これにより、第１の記憶ステップ及び第２の記憶ステップにより１ライン分の画像表示データと、そのラインで挿入されるコードまたはヘッダを第１の記憶手段及び第２の記憶手段に格納しておいて、コード挿入ステップにおけるコード挿入手段により１ライン分の画像表示データ及び対応する特定のコードまたはヘッダを第１の記憶手段及び第２の記憶手段から読み出して、所定のタイミングで画像表示データに特定のコードまたはヘッダを挿入し、第３の記憶ステップにより挿入後の１ライン分の画像表示データとコードまたはヘッダを第３の記憶手段に書き込むことができる。
【発明の効果】
【００１９】
本発明に係るコード挿入装置及びコード挿入方法によれば、従来のような出力用の同期信号と、その同期信号を基準としたカウンタに依存することなく、所定のタイミングでコード挿入手段により画像表示データに特定のコードまたはヘッダを挿入し、コード挿入手段の任意に設定した、第３の記憶手段の書き込みアドレスの位置に、挿入後の１ライン分の画像表示データとコードまたはヘッダを書き込むことができるため、信頼性の高い出力タイミングでコード挿入後の１ライン分の画像表示データを出力することができる。
【００２０】
また、画像表示データと交互に出力されるブランキングデータも画像表示データに挿入して第３の記憶手段に書き込むことができるため、出力時にブランキングデータの出力タイミングを計ることなく、順次第３の記憶手段に書き込まれたデータを読み出して出力することによって、簡易な構成でコード挿入後のデータ出力を行うことができる。
【００２１】
また、第２の記憶手段に格納されるコードのテーブルのコード内容と、コード挿入手段の第３の記憶手段へ書き込むアドレスを任意に変更できるため、設定変更・更新時の主要部流用やそのためのデバック動作を容易に行うことができる。
【発明を実施するための最良の形態】
【００２２】
以下に、本発明の実施の形態について、適宜、図面を参照しながら説明する。
図１は、本発明の実施の形態に係るコード挿入装置の構成例を示す回路図である。
図１に示すように、本発明の実施の形態に係るコード挿入装置１１は、１ライン以上の有効画像データ７を格納できるメモリ１と、画像データ出力の際に挿入されるSAV/EAVコードの全パターンのテーブル８を格納できるメモリ２と、コード挿入部１２とを有して構成される。
【００２３】
コード挿入部１２は、１ライン分のブランキングデータ１３、SAVコード１４、有効画像データ１５、EAVコード１６を格納できる書き込みと読み出しを同時に行うことが可能な２ポートのラインメモリ３と、上記メモリ１とメモリ２から必要なデータを出力クロックＣＬＫ５を用いてラインメモリ３に転送できるメモリ制御回路４とを備える。
【００２４】
出力データ６は、有効画像データ１５に対して、SAVコード１４またはEAVコード１６、さらにブランキングデータ１３が挿入された最終的な出力データである。
【００２５】
ここで、メモリ１とメモリ２は同一のメモリを記憶領域を区別して使用してもよい。また、ラインメモリ３は、出力同期用の出力クロックＣＬＫ５に同期して読み出すことができ、出力クロックＣＬＫ５もしくはより周波数の高いクロックで早いタイミングで書き込むことができるものとする。
【００２６】
さらに、メモリ制御回路４はメモリ１、メモリ２に対し、任意のアドレスから読み出すことが可能で、ラインメモリ３に対し任意のアドレスに書き込むことができるものとする。
【００２７】
このように構成されたコード挿入装置１１は、以下のような動作をする。
まず、１ライン分の有効画像データ１５をメモリ１に保持し、そのラインで挿入されるSAVコード１４またはEAVコード１６をテーブルデータとしてメモリ２に格納しておく。次に、メモリ制御回路４は、１ライン分の有効画像データ７及び対応するSAVコード１４またはEAVコード１６をメモリ１及びメモリ２から読み出して、所定のタイミングで有効画像データ７にSAVコード１４またはEAVコード１６を挿入する。なお、SAVコード１４は有効画像データ７に先行して読み出され、EAVコード１６は有効画像データ７の後に読み出される。
【００２８】
そして、メモリ制御回路４は、挿入後の１ライン分の有効画像データ１５とSAVコード１４またはEAVコード１６を、ブランキングデータ１３と共にラインメモリ３にアドレスを指定して書き込む。ラインメモリ３からはブランキングデータ１３、SAVコード１４、有効画像データ１５及びEAVコード１６が順に読み出されて、出力データ６として出力される。
【００２９】
図２は、メモリ制御回路の構成を示すブロック図である。
図２において、メモリ制御回路４は、１ライン分の有効画像データ７をメモリ１から読み出す１ラインデータ読み出し回路２１と、有効画像データ７に対応してSAVコード１４またはEAVコード１６をメモリ２から選択的に読み出す選択回路２２と、出力データ６から生成されるタイミング信号に基づいて有効画像データにSAVコード１４またはEAVコード１６を挿入し、１ライン分の有効画像データと挿入されたSAVコード１４またはEAVコード１６をラインメモリ３に書き込む書き込み回路２３とを備えて構成される。
【００３０】
ここで、メモリ制御回路４は、さらに、ラインメモリ３から出力データ６を読み出す出力用読み出し回路２４と、出力データ６の読み出しに基づいてデータ書き込み及び読み出しのタイミングを発生するデータ書き込みタイミング発生回路２５とを備えている。データ書き込みタイミング発生回路２５から発生されるタイミング信号は、１ラインデータ読み出し回路２１及び書き込み回路２３に供給される。なお、出力用読み出し回路２４は、ラインメモリ３に付属する構成としてもよい。
【００３１】
このように構成されたメモリ制御回路４は、以下のような動作をする。
１ラインデータ読み出し回路２１は、１ライン分の有効画像データ７をメモリ１から読み出す。１ラインデータ読み出し回路２１から１ライン分の有効画像データ７が書き込み回路２３に供給され、１ライン分の有効画像データ７の読み出し開始信号または読み出し終了信号が選択回路２２に供給される。
【００３２】
ここで、選択回路２２は、有効画像データ７の読み出し開始信号または読み出し終了信号に対応してSAVコード１４またはEAVコード１６をメモリ２から選択的に読み出す。なお、SAVコード１４は有効画像データ７に先行して読み出され、EAVコード１６は有効画像データ７の後に読み出される。書き込み回路２３は、出力データ６から生成されるタイミング信号に基づいて有効画像データ１５にSAVコード１４またはEAVコード１６を挿入し、１ライン分の有効画像データ１５と挿入されたSAVコード１４またはEAVコード１６をブランキングデータ１３と共にラインメモリ３にアドレスを指定して書き込む。
【００３３】
そして、出力用読み出し回路２４は、ラインメモリ３から出力データ６を読み出す。出力用読み出し回路２４は、１ラインの出力データ６の読み出しが終了したとき、データ書き込みタイミング発生回路２５に出力データ６の読み出し終了信号が供給される。
【００３４】
データ書き込みタイミング発生回路２５は、出力データ６の読み出し終了信号に基づいてデータ書き込み及び読み出しのタイミングを発生する。データ書き込みタイミング発生回路２５から発生されるタイミング信号は、１ラインデータ読み出し回路２１及び書き込み回路２３に供給される。１ラインデータ読み出し回路２１は、出力データ６の読み出し終了信号に基づいて次のラインの１ラインデータ読み出しを開始する。書き込み回路２３は、出力データ６の読み出し終了信号に基づいてラインメモリ３に次のラインの１ラインデータの書き込みを開始する。
【００３５】
図３は、上述した図１及び図２に示したラインメモリ３の詳細を示す図である。図３に示すように、先頭位置からデータ読み出し方向に、ラインメモリ３は、ブランキングデータ領域３１、SAVコードデータ領域３２、有効画像データ領域３３、EAVコードデータ領域３４、に分けて使用するものとする。
上記各領域は任意に変更できるものとする。また、各領域は各データサイズに適合したものとする。
【００３６】
さらに、上記ブランキングデータ領域３１には予め任意のブランキングデータとして、例えば、０１からなる黒データが格納されている。そして、メモリ制御回路４から、SAVコードデータ領域３２に、先頭位置からデータ書き込み方向にSAVコード１４が書き込まれ、有効画像データ領域３３に、先頭位置からデータ書き込み方向に有効画像データ１５が書き込まれ、EAVコードデータ領域３４に、先頭位置からデータ書き込み方向にEAVコード１６が書き込まれる。
【００３７】
以下、上記のような構成を有する本発明の実施の形態に係るコード挿入装置のラインメモリ３への書き込み及びラインメモリ３からの読み出し動作を説明する。
図１に示されたコード挿入装置１１では、ラインメモリ３の先頭の、図３に示すブランキングデータ領域３１の先頭位置からEAVコードデータ領域３４の最後位置まで、順次出力クロックＣＬＫ５に同期してラインデータを読み出し、読み出したラインデータを出力データ６とする。EAVコードデータ領域３４の最後位置まで読み出しが完了した時点で、同様にラインメモリ３の先頭位置から、順次、次のラインデータの読み出しを開始する。
【００３８】
そして、ラインメモリ３からのラインデータの読み出しと同時に、メモリ制御回路４はメモリ２より次のラインの出力画像データ６に対応したSAVコード１４を読み出し、図３に示したラインメモリ３のSAVコードデータ領域３２に書き込んでいく。このとき、ラインメモリ３のSAVコードデータ領域３２はまだ読み出されていないものとする。また、書き込むアドレスの管理はメモリ制御回路４が行うものとする。
【００３９】
有効画像データ１５に先行するSAVコード１４のラインメモリ３への書き込みが完了しだい、同様にメモリ制御回路４はメモリ１より有効画像データ１５を読み出し、ラインメモリ３の有効画像データ領域３３に書き込んでいく。EAVコード１６についてもSAVコード１４と同様に、有効画像データ１５の後にメモリ制御回路４はメモリ２より次のラインの出力画像データ６に対応したEAVコード１６を読み出し、図３に示したラインメモリ３のEAVコードデータ領域３４に書き込んでいく。
【００４０】
上述したラインメモリ３の説明に記載したように、メモリ制御回路４のラインメモリ３に対する書き込みは読み出しと同様のクロックＣＬＫ５、もしくはより早いクロックで行うため、出力に必要なデータがラインメモリ３に書き込まれる前に、読み出しによって出力されることはない。ラインメモリ３のSAVコード１４またはEAVコード１６、有効画像データ１５の各領域３２，３３，３４は書き込み後、各データがそれぞれ読み出された時点で、各領域３２，３３，３４の先頭位置から書き込むことが可能となる。
【００４１】
以上より、本発明の実施の形態にかかるコード挿入装置によれば、有効画像データとコードデータのみならず、ブランキングデータも挿入し、出力しているため、出力用の同期信号と、その同期信号を基準としたコード挿入のためのカウンタが必要なくなり、データのタイミング生成の信頼性を向上させることができると共に、カウンタによる消費電力を減少させることができる。また、上述したメモリ２に格納されるコードのテーブルと、ラインメモリ３に用意するデータの領域を任意に変更することにより、回路の流用やデバックが容易に行える。
【００４２】
図４は、コード挿入装置の適用例を示す図である。
図４において、デジタル画像カメラ４１では、カメラ部４２により撮像されたカメラ撮像形式の画像データが信号処理部４３により例えば色補正などの信号処理が施される。そして、この画像データは信号処理が施された後にＭＰＥＧ（Moving Picture Experts Group）エンコーダ４４により圧縮処理された後に記録部４５により記録媒体に記録されると共に、圧縮された画像データが外部インターフェースから出力される。
【００４３】
また、ＤＶＤ（Digital Versatile Disc）プレーヤ４８では、ＤＶＤ４９に記録された圧縮されたディスク記録媒体記録形式の画像データをＤＶＤ再生部５０により再生して、再生された圧縮された画像データが外部インターフェースから出力される。
【００４４】
ここで、デジタル画像カメラ４１またはＤＶＤプレーヤ４８から出力される圧縮されたカメラ撮像形式またはディスク記録媒体記録形式の画像データは、一旦ＭＰＥＧデコーダ４６により伸張処理され、伸張処理された後の画像データは本実施の形態の図１に示したコード挿入装置１１のメモリ１に供給される。そして、上述したコード挿入装置１１により上述した画像データに対するコード挿入処理を伴うラインメモリ３への転送動作または上述した画像データに対するテレビジョン受像機表示形式への変換動作を経た後に、ラインメモリ３からテレビジョン受像機表示形式の１ラインデータが順次モニタ４７に出力され、モニタ４７に画像データによる画像が表示される。
【００４５】
上述した本実施の形態に示したものに限らず、例えば、画像データは他の無線や放送などにより送信元の信号源から供給されるものに上述したコード挿入装置１１を適用してもよい。
【図面の簡単な説明】
【００４６】
【図１】本発明の実施の形態によるコード挿入装置の構成例を示す回路図である。
【図２】メモリ制御回路の構成を示すブロック図である。
【図３】ラインメモリの詳細を示す図である。
【図４】コード挿入装置の適用例を示す図である。
【図５】1ライン分の画像データ出力形式を示す図である。
【図６】従来の可変長符号化回路を示す図である。
【図７】従来の付加コード挿入回路の適用例を示す図である。
【図８】従来のコード挿入回路のタイミングチャートであり、図８Ａは外部同期信号、図８Ｂは出力信号、図８Ｃはカウンタ値である。
【符号の説明】
【００４７】
１…メモリ、２…メモリ、３…ラインメモリ、４…メモリ制御回路、５…出力クロック、６…出力データ、７…有効画像データ、８…SAV/EAVコードテーブル、１１…コード挿入装置、１２…コード挿入部、１３…ブランキングデータ、１４…SAVコード、１５…有効画像データ、１６…EAVコード、２１…１ラインデータリード回路、２２…選択回路、２３…書き込み回路、２４…出力用リード回路、２５…データ書き込みタイミング発生回路、３１…ブランキングデータ領域、３２…SAVコードデータ領域、３３…有効画像データ領域、３４…EAVコードデータ領域、４１…デジタル画像カメラ、４２…カメラ部、４３…信号処理部、４４…ＭＰＥＧエンコーダ、４５…記録部、４６…ＭＰＥＧデコーダ、４７…モニタ、４８…ＤＶＤプレーヤ、４９…ＤＶＤ、５０…ＤＶＤ再生部、
【図１】
2006049987.tif 000003
【図２】
2006049987.tif 000004
【図３】
2006049987.tif 000005
【図４】
2006049987.tif 000006
【図５】
2006049987.tif 000007
【図６】
2006049987.tif 000008
【図７】
2006049987.tif 000009
【図８】
2006049987.tif 000010